(57)【要約】      （修正有）【課題】飲料ボトル、碗、皿、又はコップ等の載置物が被載置体に強固に載置され、吸盤装置が載置物から容易に分離することが可能な吸盤装置を提供する。【解決手段】少なくとも２つの吸着パッドを備え、それらの吸着パッドは、下吸盤部１６及び上吸盤部１８を含む。下吸盤部は、例えば机、床等の被載置体に吸着される。上吸盤部は、例えば飲料ボトル、碗、皿、又はコップ等の載置物が載置される。それらの吸着パッドの上、下吸盤部の間には貫通孔３２が設けられている。さらに、２つの吸着パッド１２ａ，１２ｂの間には連通管１４が接続されることにより、それらの２つの吸着パッドを同時に離脱することができる。【選択図】図２
0003171819.tif 000002
【実用新案登録請求の範囲】
【請求項１】
互いに隔てられた第１及び第２の吸着パッドを含み、それらの吸着パッドは、下吸盤部及び上吸盤部を含み、前記下吸盤部は、中央部及び周辺を含み、被載置体に吸着されるために、中央が隆起する弧面状に形成され、前記上吸盤部は、底部及び周辺を含み、前記底部が前記下吸盤部の中央部と一体に形成され、前記上吸盤部の周辺と前記下吸盤部の周辺とが垂直方向に隔てられ、前記上吸盤部は、載置物が載置されるために、中央が凹む弧面状に形成され、貫通孔は、それらの吸着パッドの前記上吸盤部の中央部及び前記下吸盤部の底部を延在貫通する、少なくとも２つの吸着パッドと、
第１の端及び第２の端を含む連通管であって、前記第１の端が前記第１の吸着パッドに接続されることにより前記第１の吸着パッドの貫通孔が前記連通管に連通され、前記第２の端が前記第２の吸着パッドに接続されることにより前記第２の吸着パッドの貫通孔が前記連通管に連通される連通管と、
を備えることを特徴とする吸盤装置。
【請求項２】
前記連通管の第１の端は、前記第１の吸着パッドの下吸盤部の中央部に接続され、前記連通管の第２の端は、前記第２の吸着パッドの下吸盤部の中央部に接続されることを特徴とする請求項１に記載の吸盤装置。
【請求項３】
前記連通管に連通されたバルブ孔と、前記バルブ孔を開放可能に封鎖するカバーとを含む制御バルブをさらに備えることを特徴とする請求項２に記載の吸盤装置。
【請求項４】
前記少なくとも２つの吸着パッドは、互いに隔てられた第３及び第４の吸着パッドをさらに含み、前記第３及び第４の吸着パッドは、それぞれ前記下吸盤部、前記上吸盤部及び前記貫通孔を含み、前記第３吸着パッドと前記第４の吸着パッドとの間には他の連通管が接続され、前記他の連通管の両端は、それぞれ前記第３及び第４の吸着パッドの貫通孔に連通され、前記他の連通管は、前記連通管に連通されることを特徴とする請求項２に記載の吸盤装置。
【請求項５】
前記少なくとも２つの吸着パッドは、互いに隔てられた第３及び第４の吸着パッドをさらに含み、前記第３及び第４の吸着パッドは、それぞれ前記下吸盤部、前記上吸盤部及び前記貫通孔を含み、前記第３吸着パッドと前記第４の吸着パッドとの間には他の連通管が接続され、前記他の連通管の両端は、それぞれ前記第３及び第４の吸着パッドの貫通孔に連通され、前記他の連通管は、前記連通管と交差して連通されることを特徴とする請求項２に記載の吸盤装置。
【請求項６】
他の連通管と前記連通管との交差箇所に設けられており、バルブ孔と、前記バルブ孔を開放可能に封鎖するカバーとを含む制御バルブをさらに備え、前記バルブ孔が他の連通管及び前記連通管に連通されることを特徴とする請求項５に記載の吸盤装置。
【考案の詳細な説明】
【技術分野】
【０００１】
本考案は、吸盤装置に関し、特に飲料ボトル（缶）、碗、皿、又はコップが載置され、滑り止め及び位置決めの機能を有する吸着パッドに関するものである。
【背景技術】
【０００２】
通常、家庭に使用される飲料ボトル（缶）、コップ、碗、皿、又は水容器は、不用意によって転倒してしまい、これに幼児のいる家庭が困ることがある。さらに、現在、社会全体の生活レベルの向上やファーストフード文化のブームに伴い、サラリーマンや学生の机には飲料ボトル（缶）又はコップが置かれることがよくある。しかしながら、一般の飲料ボトル、缶入り又は瓶入り飲料が机に置かれた場合は、外部からの不用意な力による衝撃で転倒し、飲料が溢れてしまい、ユーザに不都合である。
【０００３】
市販のいわゆる「物置きコップ」は、転倒回避のためにコップ入り飲料が載置可能であるが、使用上には衝撃による転倒の虞が依然としてあり、それを改善する必要がある。
【考案の概要】
【０００４】
そこで、本考案は、上述した課題を解決するための吸盤装置を提供することを目的とする。この吸盤装置は、複数の吸着パッドを備え、それらの吸着パッドは、飲料ボトル、碗、皿、又はコップ等が載置されるために、例えば机、床等の被載置体に吸着される。さらに、それらの吸着パッドは、同時に離脱することが可能である。
【課題を解決するための手段】
【０００５】
本考案に係る吸盤装置は、互いに隔てられた少なくとも２つの吸着パッドを備え、それらの吸着パッドは、下吸盤部及び上吸盤部を含む。下吸盤部は、例えば机、床等の被載置体に吸着される。上吸盤部は、例えば飲料ボトル、碗、皿、又はコップ等の載置物が載置される。それらの吸着パッドの上、下吸盤部の間には貫通孔が設けられている。さらに、２つの吸着パッドの間には連通管が接続されることにより、それらの２つの吸着パッドが同時に離脱することができる。
【考案の効果】
【０００６】
本考案に係る吸盤装置によれば、飲料ボトル、碗、皿、又はコップ等の載置物が被載置体に強固に載置され、吸盤装置が載置物から容易に分離することが可能である。
【図面の簡単な説明】
【０００７】
【図１】本考案に係る第１の実施例の吸盤装置の立体図を示す。
【図２】図１の２−２線に沿った断面図を示す。
【図３】図１の吸盤装置の実施模式図を示す。
【図４】図３と類似した模式図であり、吸着パッドの吸着作用が取り除かれた状態を示す。
【図５】本考案に係る第２の実施例の吸盤装置の立体図を示す。
【図６】図５の６−６線に沿った断面図を示す。
【図７】図６のカバーが開けられた模式図を示す。
【図８】本考案に係る第３の実施例の吸盤装置の立体図を示す。
【考案を実施するための形態】
【０００８】
図１ないし図４は、本考案に係る第１の実施例の吸盤装置１０を示す。吸盤装置１０は、発泡合成ゴム又は多層接合生地等の可撓性材質からなる。吸盤装置１０は、互いに隔てられた２つの吸着パッド１２ａ、１２ｂと、吸着パッド１２ａ、１２ｂの間に接続された連通管１４とを含む。それらの吸着パッドは、下吸盤部１６と上吸盤部１８とを含む。下吸盤部１６は、中央部２０と周辺２２とを含み、周辺２２が中央部２０へ向けて弧状に延在突出されることで、中央が隆起する弧面状に形成され、内部に弾力圧縮可能な空間２４が設けられている。上吸盤部１８は、下吸盤部１６よりも外径がやや小さく、底部２６と周辺２８とを含み、底部２６が下吸盤部１６の中央部２０と一体に形成され、周辺２８が下吸盤部１６の周辺２２と垂直方向に隔てられる。底部２６が周辺２８へ向けて弧状に延在突出されることで、上吸盤部１８は、中央が凹む弧面状に形成され、内部に弾性圧縮可能な空間３０が設けられている。また、貫通孔３２は、上吸盤部１８の底部２６及び下吸盤部１６の中央部２０を延在貫通することで、空間２４、３０が連通するようになる。
【０００９】
連通管１４は、第１の端３４と第２の端３６とを含み、第１の端３４が吸着パッド１２ａにおける下吸盤部１６の中央部２０に接続されることにより吸着パッド１２ａの貫通孔３２が連通管１４の管孔３８に連通され、第２の端３６が吸着パッド１２ｂにおける下吸盤部１６の中央部２０に接続されることにより吸着パッド１２ｂの貫通孔３２が連通管１４の管孔３８に連通される。連通管１４の第１の端３４及び第２の端３６は、それぞれ吸着パッド１２ａ、１２ｂにおける下吸盤部１６の中央部２０と一体に形成される。
【００１０】
図３は、吸盤装置１０が、載置物４２（例えばコップ、碗、皿、ボトル等）が載置されるために被載置体４０（例えば机、床等）に載置される。実際に実施する際、吸盤装置１０における２つの吸着パッド１２ａ、１２ｂの下吸盤部１６を被載置体４０に載置するとともにそれぞれの下吸盤部１６を押し下げることにより空間２４内の空気を排出させることで、下吸盤部１６は、吸着作用が発生し、被載置体４０に位置決めされることとなる。一方、２つの載置物４２をそれぞれ吸盤装置１０における２つの吸着パッド１２ａ、１２ｂの上吸盤部１８に載置し押し下げることによりそれぞれの上吸盤部１８の空間３０内の空気を排出させることで、それぞれの載置物４２は、いずれか１つの上吸盤部１８に吸着され位置決めされることとなる。これにより、載置物４２は、被載置体４０に強固に載置されることが可能となる。さらに、載置物４２を分離させようとする場合、いずれか１つの吸着パッド（図３の吸着パッド１２ａ）の下吸盤部１６の一隅（図４参照）を持ち上げるだけで、気体４４が貫通孔３２を介して吸着パッド１２ａの上吸盤部１８に流れ、連通管１４を介して吸着パッド１２ｂに流れることで、２つの吸着パッド１２ａ、１２ｂの上、下吸盤部１８、１６の吸着作用を同時に取り除くことができるため、載置物４２を２つの吸着パッド１２ａ、１２ｂから取り外すことができ、２つの吸着パッド１２ａ、１２ｂを被載置体４０から同時に分離させることができ、個別に分離させる必要はない。
【００１１】
図５ないし図７は、本考案に係る第２の実施例の吸盤装置１０を示す。この吸盤装置１０は、４つの吸着パッド１２ａ、１２ｂ、１２ｃ、１２ｄと、吸着パッド１２ａ、１２ｂの間に接続された連通管１４と、吸着パッド１２ｃ、１２ｄの間に接続された他の連通管１４ａとを備える。それらの吸着パッドは、下吸盤部１６及び上吸盤部１８を含む。このうちの２つの連通管１４、１４ａは、互いに交差して連通される。この実施例において、吸盤装置１０は、２つの連通管１４、１４ａの交差箇所に設けられており、連通管１４、１４ａに連通されたバルブ孔４６と、バルブ孔４６を開放可能に封鎖するカバー４８とを含む制御バルブ４５をさらに備える。カバー４８が閉合された場合、吸盤装置１０の各吸着パッドは、上吸盤部１８に載置物４２が載置されるために、被載置体に独立に吸着されることが可能である。載置物４２を分離させようとする場合、カバー４８（図７参照）を開けるだけで、外部の気体４４が連通管１４、１４ａを介して各吸着パッド１２ａ、１２ｂ、１２ｃ、１２ｄに流れ、各吸着パッドの上、下吸盤部１８、１６の吸着作用を同時に取り除くことができるため、載置物４２を吸盤装置１０から容易に取り外すことができる。ここで注意すべき点は、制御バルブ４５を第１の実施例の吸盤装置１０の連通管１４に設けることにより、連通管１４の管孔３８の開閉を制御することができる。
【００１２】
図８は、本考案に係る第３の実施例の吸盤装置１０を示す。この吸盤装置１０は、４つの吸着パッド１２ａ、１２ｂ、１２ｃ、１２ｄと、吸着パッド１２ａ、１２ｂの間に接続された連通管１４と、吸着パッド１２ｃ、１２ｄの間に接続された他の連通管１４ａとを備える。このうちの２つの連通管１４、１４ａの間は、連通管５０によって接続される。いずれか１つの吸着パッドの下吸盤部１６の一部分を持ち上げた場合は、外部気体が貫通孔３２、連通管１４、１４ａ、５０を介して各吸着パッドに流れ、各吸着パッドの上、下吸盤部１８、１６の吸着作用が同時に取り除かれることとなる。
【００１３】
以上のように、本考案では、互いに隔てられた第１及び第２の吸着パッドを含み、それらの吸着パッドは、下吸盤部及び上吸盤部を含み、前記下吸盤部は、中央部及び周辺を含み、被載置体に吸着されるために、中央が隆起する弧面状に形成され、前記上吸盤部は、底部及び周辺を含み、前記底部が前記下吸盤部の中央部と一体に形成され、前記上吸盤部の周辺と前記下吸盤部の周辺とが垂直方向に隔てられ、前記上吸盤部は、載置物が載置されるために、中央が凹む弧面状に形成され、貫通孔は、それらの吸着パッドの前記上吸盤部の中央部及び前記下吸盤部の底部を延在貫通する、少なくとも２つの吸着パッドと、第１の端及び第２の端を含む連通管であって、前記第１の端が前記第１の吸着パッドに接続されることにより前記第１の吸着パッドの貫通孔が前記連通管に連通され、前記第２の端が前記第２の吸着パッドに接続されることにより前記第２の吸着パッドの貫通孔が前記連通管に連通される連通管と、を備えることを特徴とする吸盤装置とするものである。
【００１４】
また、前記連通管の第１の端は、前記第１の吸着パッドの下吸盤部の中央部に接続され、前記連通管の第２の端は、前記第２の吸着パッドの下吸盤部の中央部に接続されるものとする。
【００１５】
また、前記連通管に連通されたバルブ孔と、前記バルブ孔を開放可能に封鎖するカバーとを含む制御バルブをさらに備えるものとする。
【００１６】
また、前記少なくとも２つの吸着パッドは、互いに隔てられた第３及び第４の吸着パッドをさらに含み、前記第３及び第４の吸着パッドは、それぞれ前記下吸盤部、前記上吸盤部及び前記貫通孔を含み、前記第３吸着パッドと前記第４の吸着パッドとの間には他の連通管が接続され、前記他の連通管の両端は、それぞれ前記第３及び第４の吸着パッドの貫通孔に連通され、前記他の連通管は、前記連通管に連通されるものとする。
【００１７】
また、前記少なくとも２つの吸着パッドは、互いに隔てられた第３及び第４の吸着パッドをさらに含み、前記第３及び第４の吸着パッドは、それぞれ前記下吸盤部、前記上吸盤部及び前記貫通孔を含み、前記第３吸着パッドと前記第４の吸着パッドとの間には他の連通管が接続され、前記他の連通管の両端は、それぞれ前記第３及び第４の吸着パッドの貫通孔に連通され、前記他の連通管は、前記連通管と交差して連通されるものとする。
【００１８】
また、他の連通管と前記連通管との交差箇所に設けられており、バルブ孔と、前記バルブ孔を開放可能に封鎖するカバーとを含む制御バルブをさらに備え、前記バルブ孔が他の連通管及び前記連通管に連通されるものとする。
【産業上の利用可能性】
【００１９】
本考案に係る吸盤装置によれば、被載置体に吸着されることにより、飲料ボトル、碗、皿、又はコップ等の載置物が被載置体に強固に載置され、載置物から容易に分離することが可能となる。
【符号の説明】
【００２０】
１０  吸盤装置
１２ａ、１２ｂ  吸着パッド
１２ｃ、１２ｄ  吸着パッド
１４  連通管
１６  下吸盤部
１８  上吸盤部
２０  中央部
２２  周辺
２４  空間
２６  底部
２８  周辺
３０  空間
３２  貫通孔
３４  第１の端
３６  第２の端
３８  管孔
４０  被載置体
４２  載置物
４４  空気
４５  制御バルブ
４６  バルブ孔
４８  カバー
５０  連通管
【図１】
0003171819.tif 000003
【図２】
0003171819.tif 000004
【図３】
0003171819.tif 000005
【図４】
0003171819.tif 000006
【図５】
0003171819.tif 000007
【図６】
0003171819.tif 000008
【図７】
0003171819.tif 000009
【図８】
0003171819.tif 000010